(57)【要約】【課題】衛生的で、安価、かつ使用後の処理も容易な猫用トイレ部材及び当該部材を使用した猫用トイレを提供する。【解決手段】吸水性を有する紙から大中小の三種類の幅から成るテープ１、２、３を夫々多数形成し、これらの表面に消臭効果のある成分を塗布し又は塗布して内部に浸透させ、これら大中小のテープ１、２、３を絡めて空間を有する塊に形成した猫用トイレ部材とした。また、上記テープ１、２、３の長さを夫々５０〜６０ｃｍとした。さらに、上記猫用トイレ部材を猫用トイレ容器の底面に複数載置して形成した猫用トイレとした。また、最初に既存の猫砂Ｄを猫用トイレ容器の底面に敷き詰め、その上に上記何れかの猫用トイレ部材Ａを複数載置して形成した猫用トイレＢとしても良い。【選択図】図１
0003210763.tif 000002
【実用新案登録請求の範囲】
【請求項１】
吸水性を有する紙から大中小の三種類の幅から成るテープを夫々形成し、これらの表面に消臭効果のある成分を塗布し又は塗布して内部に浸透させ、これら大中小のテープを絡めて空間を有する塊に形成したことを特徴とする、猫用トイレ部材。
【請求項２】
上記テープの長さを夫々５０〜６０ｃｍとしたことを特徴とする、上記請求項１に記載の猫用トイレ部材。
【請求項３】
短冊状の紙材と、カール状又は麺状にカットした木材とを所定の比率で混合し、これらと上記請求項１又は２に記載の猫用トイレ部材から成ることを特徴とした、猫用トイレ部材。
【請求項４】
上記請求項１〜３の何れかに記載の猫用トイレ部材を猫用トイレ容器の底面に複数載置して形成したことを特徴とする、猫用トイレ。
【請求項５】
既存の猫砂を猫用トイレ容器の底面に敷き詰め、その上に上記請求項１〜３の何れかに記載の猫用トイレ部材を複数載置して形成したことを特徴とする、猫用トイレ。
【考案の詳細な説明】
【技術分野】
【０００１】
この考案は、屋内で飼育されている猫の排泄用の猫用トイレ部材及び当該部材を使用した猫用トイレに関するものである。
【背景技術】
【０００２】
屋内で飼育されている猫のためのトイレは、プラスティック等から成るトイレ容器の底部に猫砂を敷き詰めて形成されている。この様な猫砂は、ゼオライト、紙、木材由来又は食品再生由来のものを材料とし、球状、楕円形状又はペレット形状に成形したものから成る。
【０００３】
また、これらの猫砂には、猫の排泄物の臭いを抑えるために消臭剤を練り込む等して、屋内で猫を飼育する際の種々の問題の解消に努めている。
【０００４】
また、猫は排泄（糞尿）した後、前後の足で敷き詰められている周囲の猫砂をかけると言う習性が有る。その場合、猫砂は、ペレット状等の形状ゆえ、トイレから外部に飛び散ることがある。また、猫砂が猫の肉球の間に入り込んだりした場合も、トイレから猫砂が持ち出されることがあり、これらの猫砂が人間の生活領域に散乱、飛散し床等を汚すことは、一緒に居る人間にとっても衛生上好ましくない。
【０００５】
この様な課題を解決するものとして、特許文献１に記載されたものがある。これは、短冊状の紙部材と、カール状又は麺状にカットされた木部材を所定の比率で混合した猫砂部材で、この猫砂部材をトイレ容器の中に既存の猫砂を敷き詰めた後、その上からこの猫砂部材を敷き詰めて使用されている。
【先行技術文献】
【特許文献】
【０００６】
【特許文献１】実用新案登録第３０２７０１０号公報
【考案の概要】
【考案が解決しようとする課題】
【０００７】
しかしながら、上記特許文献１の猫砂部材では、木部材として天然の桧等による消臭効果等を期待したものであるが、この様な檜等の使用は商品コストが高くなる。一方で消臭剤としても様々に開発され、安価でより効果を有するものが流通している。
【０００８】
この考案は、これらの点に鑑みて為されたもので、衛生的で、安価、かつ使用後の処理も容易な猫用トイレ部材及び当該部材を使用した猫用トイレを提供して上記課題を解決するものである。
【課題を解決するための手段】
【０００９】
請求項１の考案は、吸水性を有する紙から大中小の三種類の幅から成るテープを夫々形成し、これらの表面に消臭効果のある成分を塗布し又は塗布して内部に浸透させ、これら大中小のテープを絡めて空間を有する塊に形成した、猫用トイレ部材とした。
【００１０】
請求項２の考案は、上記テープの長さを夫々５０〜６０ｃｍとした、上記請求項１に記載の猫用トイレ部材とした。
【００１１】
請求項３の考案は、短冊状の紙材と、カール状又は麺状にカットした木材とを所定の比率で混合し、これらと上記請求項１又は２に記載の猫用トイレ部材から成る、猫用トイレ部材とした。
【００１２】
請求項４の考案は、上記請求項１〜３の何れかに記載の猫用トイレ部材を猫用トイレ容器の底面に複数載置して形成した、猫用トイレとした。
【００１３】
請求項５の考案は、既存の猫砂を猫用トイレ容器の底面に敷き詰め、その上に上記請求項１〜３の何れかに記載の猫用トイレ部材を複数載置して形成した、猫用トイレとした。
【考案の効果】
【００１４】
請求項１の考案によれば、吸水性を有する紙から大中小の三種類の幅から成るテープを夫々形成し、これらの表面に消臭効果のある成分を塗布してこれら三種類のテープを絡めて空間を有する塊を形成し、当該塊が衝撃を受けた際、各テープの幅の夫々の相違により多様な動きが出来るようにしたので、この猫用トイレ部材を使用した猫用トイレで猫が排泄した後、猫が前後の足で周囲の猫用トイレ部材をかけても、この猫用トイレ部材が猫用トイレから外へ飛び散りにくく、また、猫の肉球の間に挟まれると言うことも起こりにくい。
【００１５】
また、猫が排泄した後も、この猫用トイレ部材が衝撃を受けた際、三種類の多様な動きをするテープを絡めた塊からなるので一種類や二種類のテープを絡めたものと比べ、猫の糞尿でテープが水分を含んで固着して偏ると言うことが起こりにくく、使用当初の状態を維持し易い。また、この猫用トイレ部材には、消臭剤が塗布されているので、糞尿の臭いも速やかに消臭される。
【００１６】
さらに、請求項２の発明によれば、この猫用トイレ部材を夫々５００ｍｍ〜６００ｍｍの長いテープから成る空間を有する塊としたので、猫用トイレに載置した際、内部に多くの空間を有するふわっとした塊の状態で載置されるので、これがクッションとなり、猫の足や肉球への負担を軽減することができる。
【００１７】
また、請求項３の考案によれば、上記効果に加えて、さらに木材によるフィトンチッド成分が発散され、精神的リラックス作用、抗菌作用等が得られ、木材が持つ芳香性により特に猫の糞尿の臭いを抑えられ、抗菌性を得ることが出来る。
【００１８】
さらに、請求項４又は５の何れかの考案によれば、この猫用トイレ部材が汚れた場合は、汚れた塊だけを取り換えればよく、また、処分については紙製なので一般ごみとして廃棄することが出来、便利である。また、既存の猫砂の上にこの猫用トイレ部材を載置したものは、汚れた猫用トイレ部材のみを取り換えるようにすれば既存の猫砂の汚れを軽減でき、飼い主の猫用トイレに対する手間と費用を軽減することが出来る。
【図面の簡単な説明】
【００１９】
【図１】この考案の実施の形態例１の猫用トイレ部材を猫用トイレに載置した状態の一部断面図である。
【図２】この考案の実施の形態例１の猫用トイレ部材を形成する三種類の紙製テープの平面図である。
【図３】この考案の実施の形態例１の猫用トイレ部材を形成する三種類の紙製テープを多数絡めた状態の正面図である。
【図４】既存の猫用トイレ容器の斜視図である。
【図５】この考案の実施の形態例１の猫用トイレ部材を使った猫用トイレに猫が入っている状態の一部断面図である。
【図６】この考案の実施の形態例２の猫用トイレ部材を猫用トイレに載置した状態の一部断面図である。
【考案を実施するための形態】
【００２０】
（実施の形態例１）
以下、この考案の実施の形態例１の猫用トイレ部材を図に基づいて説明する。この実施の形態例１の猫用トイレ部材Ａは、図２に示す様に、吸水性を有する紙から大中小の三種類の幅から成るテープ１、２、３を多数形成し、これらの表面に消臭効果のある成分を塗布し又は塗布して内部に浸透させ、図３に示す様に、これら大中小のテープ１、２、３を絡めて多くの空間を有し、かつこれらのテープ１、２、３が衝撃を受けた際、各テープ１、２、３の幅が夫々相違するため多様な動きをする塊に形成したものである。
【００２１】
上記大中小の三種類のテープ１、２、３の幅は、一例として、大は２０ｍｍ、中は１５ｍｍ、小は１０ｍｍであって、長さは夫々５００〜６００ｍｍとなっている。
【００２２】
次に、図に基づいて、この猫用トイレ部材Ａを使用した猫用トイレＢを説明する。ここで使用する猫用トイレ容器としては、図４に示す様な、上面が開口した既存の猫用トイレ容器Ｃを使用する。この様な猫用トイレ容器Ｃの底面に、最初に既存の猫砂Ｄを敷き詰め、その上から、図１に示す様に、この実施の形態例１の猫用トイレ部材Ａの複数の塊を全体的に上記既存の猫砂Ｄを覆う様に載置する。
【００２３】
この猫用トイレＢで猫が排泄した後、猫が前後の足で敷き詰められている周囲の猫用トイレ部材Ａをかけても、この猫用トイレ部材Ａが長いテープ１、２、３を絡めた塊からなるので猫用トイレＢから外へ飛び散りにくい。また、この猫用トイレ部材Ａは、多数の長いテープ１、２、３の塊となっているので、猫の足に絡まり難く、また、猫の肉球の間に挟まれると言うことも起こりにくい。
【００２４】
また、猫が排泄した後も、この猫用トイレ部材Ａが衝撃を受けた際、三種類の多様な動きをする長いテープ１、２、３を絡めた塊からなるので一種類や二種類のテープを絡めたものと比べ、猫の糞尿でテープ１、２、３が固着し、偏ると言うことが起こりにくく、使用当初の状態を維持し易い。
【００２５】
また、この猫用トイレ部材Ａには、消臭剤が塗布されているので、糞尿の臭いも速やかに消臭される。さらに、この猫用トイレ部材Ａが５００ｍｍ〜６００ｍｍの長いテープから成る空間を有する塊なので、猫用トイレに載置した際、内部に多くの空間を有するふわっとした塊の状態で載置されるので、これがクッションとなり、猫Ｅの足や肉球への負担が軽減される（図５参照）。
【００２６】
また、この猫用トイレ部材Ａが汚れた場合は、汚れた塊だけを取り換えればよく、また、処分については紙製なので一般ごみとして廃棄することが出来、便利である。さらに、既存の猫砂Ｄの上にこの猫用トイレ部材Ａを載置したものは、汚れた猫用トイレ部材Ａのみを取り換えるようにすれば既存の猫砂Ｄの汚れを軽減でき、飼い主の猫用トイレに対する手間と費用を軽減することが出来る。また、この猫用トイレ部材Ａを形成する紙としては古紙等を利用すると資源の再生になり、コストのさらなる削減にもつながる。
【００２７】
さらに、この猫用トイレ部材Ａを形成する三種類の紙製テープ１、２、３に夫々異なった着色、例えば、ホワイト、ブルー、ピンクなどの着色を行うと猫用トイレＢを明るく、おしゃれな感じにすることも出来る。また、この三種類のテープ１、２、３を保管する際は、何層かに折り畳んで箱状ケースに入れれば場所も取らず、きれいに保管することが出来る。
【００２８】
上記実施の形態例１では、最初に既存の猫砂Ｄを猫用トイレ容器Ｃに敷き詰め、その上からこの猫用トイレ部材Ａを載置して猫用トイレＢを形成しているが、既存の猫砂Ｄの上に載置しなくても、この猫用トイレ部材Ａだけを猫トイレ容器Ｃの底面に載置して猫用トイレを形成しても良い。
【００２９】
また、三種類の紙製のテープの幅として具体的な数値を記載しているが、これらの数値に限定されるものではなく、また、長さも５０〜６０ｃｍに限るものではなく、また、長さとしては全て同じである必要は無く、異なる様にしても良い。また、吸水性を有する紙から大中小の三種類の幅から成るテープ１、２、３を多数形成して、この猫用トイレ部材Ａを形成しているが、上記テープ１、２、３は、最低限１つづつ有れば良い。
【００３０】
（実施の形態例２）
次に、実施の形態例２の猫用トイレ部材Ｆを説明する。この実施の形態例２の猫用トイレ部材Ｆは、短冊状の紙材と、カール状又は麺状にカットした木材とを所定の比率、例えば、６：４〜７：３の割合で混合し、これらと上記猫用トイレ部材Ａの複数の塊から成るものである。
【００３１】
上記短冊状の紙材としては、幅１０〜１５ｍｍ、長さ３００〜４００ｍｍの大きさとし、当該短冊状の紙材としてはカール状であることが好ましい。カール状にするには、長手方向に勢いよく手で裂くことにより簡単にカール状とすることが出来る。また、カール状又は麺状にカットした木材としては、例えば、桧の廃材を使用することが出来、これをカール状又は麺状にカットして上記紙材とほぼ同じ長さにしたものを使用する。
【００３２】
図６に示す様に、この実施の形態例２の猫用トイレ部材Ｆを既存の猫用トイレ容器Ｃに載置して使用することにより、上記実施の形態例１の猫用トイレ部材Ａだけのものと比べて、桧等の木材によるフィトンチッド成分が発散され、精神的リラックス作用、抗菌作用があり、消臭効果及びノミやダニを寄せ付けない効果が得られ、桧等が持つ芳香性により特に猫の糞尿の臭いを抑えられ、抗菌性を得ることが出来る。
【００３３】
また、上記実施の形態例２では、短冊状の紙材として具体的な数値、及び紙材と木材との混合割合を具体的な記載しているが、これらの数値に限定されるものではない。また、木材として桧を使用しているが、桧に限定するものではなく、精神的リラックス作用、抗菌作用、消臭効果及びノミやダニを寄せ付けない効果など求められる効果が得られる木材で有れば良い。
【符号の説明】
【００３４】
Ａ    猫用トイレ部材    Ｂ    猫用トイレ      Ｃ    猫用トイレ容器
Ｄ    既存の猫砂        Ｅ    猫              Ｆ    猫用トイレ部材
１    テープ（大）      ２    テープ（中）    ３    テープ（小）
【図１】
0003210763.tif 000003
【図２】
0003210763.tif 000004
【図３】
0003210763.tif 000005
【図４】
0003210763.tif 000006
【図５】
0003210763.tif 000007
【図６】
0003210763.tif 000008